(57)【要約】      （修正有）【課題】眩惑状態と判定された時に的確にＡＤＡＳ制御とフェールセーフ制御の切り替えを行う、ＡＤＡＳ制御システム及び方法を提供する。【解決手段】システムは、車外に向けて設置された車載用カメラと、車載用カメラに入射する光の照度を計測する照度計測手段と、車載用カメラに入射する光の透過率を調整する防眩手段と、車載用カメラ及び照度計測手段からのデータを入手し、防眩手段を調整制御する制御部と、を有する。制御部は、照度計測手段による照度データ又は車載用カメラによる映像データに基づいて、適正なデータが得られない眩惑状態であるか否かを判定し、眩惑状態と判定した時に、防眩手段により車載用カメラに入射する光の透過率を下げ、これにより車載用カメラの映像が変化したと判定した場合は、防眩制御及びＡＤＡＳ制御を行い、車載用カメラの映像が変化しないと判定した場合は、フェールセーフ制御に切り替える。【選択図】図２
2020161875.tif 000002
【特許請求の範囲】
【請求項１】
車外に向けて設置された車載用カメラと、
該車載用カメラに入射する光の照度を計測する照度計測手段と、
前記車載用カメラに入射する光の透過率を調整する防眩手段と、
前記車載用カメラ及び前記照度計測手段からのデータを入手し、前記防眩手段を調整制御する制御部と、を有し、
前記制御部が、前記照度計測手段による照度データ又は前記車載用カメラによる映像データに基づいて、適正なデータが得られない眩惑状態であるか否かを判定し、前記防眩手段の制御及びＡＤＡＳ制御とフェールセーフ制御との切り替えを行う車両のＡＤＡＳ制御システムにおいて、
前記制御部は、
前記眩惑状態と判定した時に、前記防眩手段により車載用カメラに入射する光の透過率を下げ、これにより前記車載用カメラの映像が変化するか否か判定し、変化したと判定した場合は、前記車載用カメラは正常であると判断し、防眩制御及びＡＤＡＳ制御を行い、前記車載用カメラの映像が変化しないと判定した場合は、前記車載用カメラは異常であると判断し、フェールセーフ制御に切り替えることを特徴とする車両のＡＤＡＳ制御システム。
【請求項２】
前記眩惑状態の判定は、
前記照度データの照度レベルが予め定めた照度レベルよりも高い場合、又は前記映像データの映像画質が予め定めたレベルに充たない場合に、前記眩惑状態と判定することを特徴とする請求項１に記載の車両のＡＤＡＳ制御システム。
【請求項３】
前記制御部は、
前記防眩手段により車載用カメラに入射する光の透過率を下げられている状態において、前記照度レベルが前記予め定めたレベルよりも低下して、過度に前記透過率が下げられていると判断した時に、前記透過率を上げるように防眩手段を制御することを特徴とする請求項１又は２に記載の車両のＡＤＡＳ制御システム。
【請求項４】
車外に向けて設置された車載用カメラと、
該車載用カメラに入射する光の照度を計測する照度計測手段と、
前記車載用カメラに入射する光の照度を抑制する防眩手段と、
前記車載用カメラ及び前記照度計測手段からのデータを入手し、前記防眩手段を調整制御する制御部と、を有し、
前記制御部が、前記照度計測手段による照度データ又は前記車載用カメラによる映像データに基づいて、適正なデータが得られない眩惑状態であるか否かを判定し、前記防眩手段の制御及びＡＤＡＳ制御とフェールセーフ制御との切り替えを行う車両のＡＤＡＳ制御方法において、
前記制御部による制御は、
前記照度データの照度レベルが予め定めた照度レベルよりも高い場合、又は前記映像データの映像画質が予め定めたレベルに充たない場合に、前記眩惑状態と判定する眩惑状態判定工程と、
前記眩惑状態に有ると判定した場合に、防眩手段により車載用カメラに入射する光の照度を変え、これにより前記車載用カメラの映像が変化するか否か判定し、変化した場合は、前記車載用カメラは正常であると判断し、変化しない場合は、前記車載用カメラは異常であると判断する車載用カメラ状態判断工程と、を有し、
前記車載用カメラが正常であると判断した時には、防眩制御及びＡＤＡＳ制御を行い、前記車載用カメラが異常であると判断した時には、フェールセーフ制御を行うことを特徴とする車両のＡＤＡＳ制御方法。
【発明の詳細な説明】
【技術分野】
【０００１】
本発明は、ＡＤＡＳ（Ａｄａｖｃｅｄ  Ｄｒｉｖｅｒ−Ａｓｓｉｔａｎｃｅ  Ｓｙｓｔｅｍｓ：先進運転支援システム）により制御される車両のＡＤＡＳ制御システム及びＡＤＡＳ制御方法に関する。
【背景技術】
【０００２】
現在、多くの車両にＡＤＡＳが採用されている。ＡＤＡＳとは、ドライバーの安全、快適を実現するため、自動車自体が周囲の情報を把握し、ドライバーに的確に表示、警告等を行い、ドライバーに代わって自動車を制御するシステムである。
【０００３】
図４は、車両がＡＤＡＳにより制御されている状態（ＡＤＡＳ制御）において、車載用カメラ（ＡＤＡＳカメラ、単にカメラとも称する）が取得した映像データ又は照度計測手段により計測された照度データを基に、眩惑状態にあると判定された時の制御の流れを示す。眩惑状態とは、朝日や夕日等の逆光（グレア光）、ハイビームで接近して来る車両等によってドライバーや乗員が眩惑される状態を言う。
【０００４】
車外に向けて設置されたカメラにより映像が入力され（ステップＳ８０）、照度計測手段により照度が計測される（ステップＳ８２）。そして、入力された映像データ又は計測した照度データにより眩惑状態にあるか判定される（ステップＳ８４）。眩惑状態であると判定されるのは、例えば、計測した照度データの照度レベルが予め定めた照度レベルよりも高い場合である。眩惑状態にあると判定されると車両はＡＤＡＳ制御を止めフェールセーフ制御に切り替わる。眩惑状態にないと判定されると車両はＡＤＡＳ制御を行う。
【０００５】
このような眩惑状態を解消するため防眩制御が行われている。この防眩制御は、例えば、印加電圧によって光の透過率を調整することができる調光素子をカメラの前方に設置しておき、カメラに入射する光の照度に応じて調光素子の透過率が調整されるように構成され、眩惑状態のときは透過率を下げて眩惑状態を解消している（例えば、特許文献１参照）。
【０００６】
図５は、防眩制御が可能なＡＤＡＳ制御車両が眩惑状態にあると判定された時の制御の流れを示す。車外に向けて設置されたカメラにより映像が入力され（ステップＳ９０）、照度計測手段により照度が計測される（ステップＳ９２）。そして、入力された映像データ又は計測した照度データにより眩惑状態にあるか判定される（ステップＳ９４）。眩惑状態と判定されると車両は防眩制御を行い（ステップＳ９６）、ＡＤＡＳ制御を行う（ステップＳ９８）。
【先行技術文献】
【特許文献】
【０００７】
【特許文献１】特開２０１０−１８４６４３号公報
【発明の概要】
【発明が解決しようとする課題】
【０００８】
図４において、眩惑状態にあると判定されると直ぐにフェールセーフ制御する構成では、カメラが正常であるにも拘らずＡＤＡＳ制御できないという不具合が生じる。図５において、眩惑状態にあると判定されると防眩制御を行いＡＤＡＳ制御に戻る構成では、この眩惑状態であると判定された理由が照度の高さによるものか、カメラの異常によるものか判定しないままに切り替えている。カメラに異常がある場合には、防眩制御とＡＤＡＳ制御が行われても正常なＡＤＡＳ制御ができないという状況があった。
【０００９】
本発明は上記課題に鑑みてなされたものであり、その目的は、眩惑状態と判定された時に的確にＡＤＡＳ制御とフェールセーフ制御の切り替えを行い、ＡＤＡＳ制御車両の安全な運行を確保する車両のＡＤＡＳ制御システム及びＡＤＡＳ制御方法を提供することにある。
【課題を解決するための手段】
【００１０】
上記目的の達成のため請求項１に記載の車両のＡＤＡＳ制御システムは、
車外に向けて設置された車載用カメラと、該車載用カメラに入射する光の照度を計測する照度計測手段と、前記車載用カメラに入射する光の透過率を調整する防眩手段と、前記車載用カメラ及び前記照度計測手段からのデータを入手し、前記防眩手段を調整制御する制御部と、を有し、前記制御部が、前記照度計測手段による照度データ又は前記車載用カメラによる映像データに基づいて、適正なデータが得られない眩惑状態であるか否かを判定し、前記防眩手段の制御及びＡＤＡＳ制御とフェールセーフ制御との切り替えを行う車両のＡＤＡＳ制御システムにおいて、
前記制御部は、前記眩惑状態と判定した時に、前記防眩手段により車載用カメラに入射する光の透過率を下げ、これにより前記車載用カメラの映像が変化するか否か判定し、変化したと判定した場合は、前記車載用カメラは正常であると判断し、防眩制御及びＡＤＡＳ制御を行い、前記車載用カメラの映像が変化しないと判定した場合は、前記車載用カメラは異常であると判断し、フェールセーフ制御に切り替えることを特徴とする。
【００１１】
この構成により、眩惑状態と判定された後に防眩手段により車載用カメラに入射する光の照度を変えて、車載用カメラの映像が変化するか否かにより車載用カメラの状態を確認し、変化した場合には正常であると判断することができる。そして、正常な場合には、防眩制御及びＡＤＡＳ制御行い、異常である場合には、ＡＤＡＳ制御ではなく、フェールセーフ制御に切り替える。したがって、車載用カメラが正常であることを確認したうえでＡＤＡＳ制御が行われるので、ＡＤＡＳ制御の信頼性が向上する。
【００１２】
請求項２に記載の車両のＡＤＡＳ制御システムは、請求項１に記載の車両のＡＤＡＳ制御システムにおいて、
前記眩惑状態の判定は、前記照度データの照度レベルが予め定めた照度レベルよりも高い場合、又は前記映像データの映像画質が予め定めたレベルに充たない場合に、前記眩惑状態と判定することを特徴とする。
【００１３】
この構成により、眩惑状態の判定が、照度データ又は映像データにより簡単に一義的に定めることができる。したがって、車両のＡＤＡＳ制御の信頼性が向上する。
【００１４】
請求項３に記載の車両のＡＤＡＳ制御システムは、請求項１又は２に記載の車両のＡＤＡＳ制御システムにおいて、
前記制御部は、前記防眩手段により車載用カメラに入射する光の透過率を下げられている状態において、前記照度レベルが前記予め定めたレベルよりも低下して、過度に前記透過率が下げられていると判断した時に、前記透過率を上げるように防眩手段を制御することを特徴とする。
【００１５】
この構成により、過度に防眩制御されることが防止され、車両のＡＤＡＳ制御の信頼性が向上する。
【００１６】
上記目的の達成のため請求項４に記載の車両のＡＤＡＳ制御方法は、
車外に向けて設置された車載用カメラと、該車載用カメラに入射する光の照度を計測する照度計測手段と、前記車載用カメラに入射する光の照度を抑制する防眩手段と、前記車載用カメラ及び前記照度計測手段からのデータを入手し、前記防眩手段を調整制御する制御部と、を有し、前記制御部が、前記照度計測手段による照度データ又は前記車載用カメラによる映像データに基づいて、適正なデータが得られない眩惑状態であるか否かを判定し、前記防眩手段の制御及びＡＤＡＳ制御とフェールセーフ制御との切り替えを行う車両のＡＤＡＳ制御方法において、
前記制御部による制御は、前記照度データの照度レベルが予め定めた照度レベルよりも高い場合、又は前記映像データの映像画質が予め定めたレベルに充たない場合に、前記眩惑状態と判定する眩惑状態判定工程と、前記眩惑状態に有ると判定した場合に、防眩手段により車載用カメラに入射する光の照度を変え、これにより前記車載用カメラの映像が変化するか否か判定し、変化した場合は、前記車載用カメラは正常であると判断し、変化しない場合は、前記車載用カメラは異常であると判断する車載用カメラ状態判断工程と、を有し、前記車載用カメラが正常であると判断した時には、防眩制御及びＡＤＡＳ制御を行い、前記車載用カメラが異常であると判断した時には、フェールセーフ制御を行うことを特徴とする。
【００１７】
この方法により、眩惑状態判定工程により眩惑状態と判定された後に、防眩手段により車載用カメラに入射する光の照度を変えて、車載用カメラの映像が変化するか否かにより車載用カメラの状態を確認し、変化した場合には正常であると判断することができる（車載用カメラ状態判断工程）。そして、正常な場合には、防眩制御及びＡＤＡＳ制御行い、異常である場合には、ＡＤＡＳ制御ではなく、フェールセーフ制御に切り替える。したがって、車載用カメラが正常であることを確認したうえでＡＤＡＳ制御が行われるので、ＡＤＡＳ制御の信頼性が向上する。
【発明の効果】
【００１８】
本発明の車両のＡＤＡＳ制御システム及びＡＤＡＳ制御方法によれば、眩惑状態と判定された後に防眩手段により車載用カメラに入射する光の照度を変えて、車載用カメラの映像が変化するか否かにより車載用カメラが正常かどうかを判断するため、車載用カメラの正常・異常判断を素早く行うことができる。したがって、その後に行われる防眩制御及びＡＤＡＳ制御は、車載用カメラが正常であることが保証されるので、ドライバーは不安を抱くことなく安全にＡＤＡＳ制御車両を走行させることができる。
【図面の簡単な説明】
【００１９】
【図１】本発明の車両のＡＤＡＳ制御システムの概略構成図を示す。
【図２】本発明の車両のＡＤＡＳ制御方法のフローチャートを示す。
【図３】図２のステップＳ１６の「カメラ正常であるか判断」の内容を示すフローチャートである。
【図４】従来の眩惑状態と判定後の流れを説明するフローチャートである。
【図５】従来の眩惑状態と判定後の流れを説明するフローチャートである。ただし、防眩制御が付属している場合について示す。
【発明を実施するための形態】
【００２０】
以下、本発明の車両のＡＤＡＳ制御システム及びＡＤＡＳ制御方法の実施の形態について、図面を参照しつつ詳細に説明する。
【００２１】
図１は、本発明の車両のＡＤＡＳ制御システムの概略構成図である。車両のＡＤＡＳ制御システム１０は、車載用カメラ１２、照度計測手段１４、防眩手段１８、及び制御部２０を有する。
【００２２】
車載用カメラ（ＡＤＡＳカメラ、又は単にカメラと称する）１２は、車内に設置され車外の様子を撮像する撮像手段である。車載用カメラ１２により所得した映像データは、制御部２０に入力され、防眩手段１８に送られる。照度計測手段１４は、車載用カメラ１２により撮像されたときの、車載用カメラ１２内に入射する光の照度を検出するものであり、車載用カメラ１２に内蔵されるものや別途単独で外部に設置されたものを使用することができる。計測された照度データは、制御部２０に入力され、防眩手段１８に送られる。
【００２３】
ここで、取得した映像データは、一旦メモリ等の記録手段に記録しておき、防眩手段１８に送る時、又は制御部２０でデータ処理等を行う時に、記録手段から取り出して送信するようにしても良い。照度データも同様である。
【００２４】
制御部２０は、入力された映像データと照度データにより、撮像したときの車外の様子が眩惑状態にあるか否かを判定する。例えば、入力された照度データの照度レベルが予め定めた照度レベルよりも高い場合、又は入力された映像データの映像画質が予め定めたレベルに充たない場合に、眩惑状態と判定することができる。更に、より正確にシチュエーションを特定するために、地図データやＧＰＳ情報、車−車間通信と連携させても良い。ここで、眩惑状態と判定されることには、車載用カメラ１２が異常であって実際には眩惑状態でない場合も含まれる。
【００２５】
防眩手段１８は、通常カメラの前に設置され、車載用カメラ１２に入射する光の透過率を調整するもので、例えば印加電圧により透過率が変えられる調光素子が用いられる。本実施の形態では、調光素子を用い、送られてきた映像データと照度データにより、車載用カメラ１２に入射する光の透過率を変更している。眩惑状態の時に、正しく透過率が調整されると、すなわち防眩レベルが適正に調整されると、車載用カメラ１２により撮像された画像は、眩惑状態が解除され適切な明るさとなっており、車外の様子が鮮明に認識できる。このように、少なくとも車載用カメラ１２、照度計測手段１４、防眩手段１８及び制御部２０により、車載用カメラ１２に入射する光の透過率を適性に調整することを防眩制御と呼ぶ。
【００２６】
制御部２０は、防眩手段１８により車載用カメラ１２に入射する光の透過率を下げられている状態において、照度レベルが予め定めたレベルよりも低下して、過度に透過率が下げられていると判断した時に、透過率を上げるように防眩手段１８を制御する。
【００２７】
制御部２０は、眩惑状態と判定した時に、防眩手段１８により車載用カメラ１２に入射する光の透過率を下げ、これにより車載用カメラ１２の映像が変化するか否か判定し、変化したと判定した場合は、車載用カメラ１２は正常であると判断し、防眩制御及びＡＤＡＳ制御を行う。車載用カメラ１２の映像が変化しないと判定した場合は、車載用カメラ１２は異常であると判断し、フェールセーフ制御に切り替える。
【００２８】
図２は、本発明の車両のＡＤＡＳ制御方法のフローチャートである。ＡＤＡＳ制御で車両が走行中は、常に車載用カメラ１２により映像が取得され、制御部２０に入力される（ステップＳ１０）。同時に、車載用カメラ１２に内蔵されている照度計測手段１４による照度も連続で計測され（ステップＳ１２）、計測された照度データは、制御部２０に入力される。ここで、照度計測手段１４は、車載用カメラ１２に内蔵されているものでなく、別途外部に設置されたものを用いても良い。
【００２９】
制御部２０は、入力した映像データと照度データにより、照度データの照度レベルが予め定めた照度レベルよりも高い場合、又は映像データの映像画質が予め定めたレベルに充たない場合に、眩惑状態と判定する（ステップＳ１４：眩惑状態判定工程）。
【００３０】
次に、眩惑状態に有ると判定した場合に、車載用カメラ１２が正常であるか判断される（ステップＳ１６：車載用カメラ状態判断工程）。図３に、このステップＳ１６の「カメラ正常であるか判断」内容を示す。車載用カメラ１２により取得した映像データと照度計測手段１４により計測した照度データにより、制御部２０は、防眩手段１８を制御し、車載用カメラ１２に入射する光の透過率を降下させる（ステップＳ３０）。次に、車載用カメラ１２の映像が変化するか否か判定し（ステップＳ３２）、変化した場合は、車載用カメラ１２は正常であると判断し、変化しない場合は、車載用カメラ１２は異常であると判断する。
【００３１】
図２に戻り、車載用カメラ１２は正常であると判断された場合は、防眩制御を行う（ステップＳ１８）。この防眩制御では、車載用カメラ１２の映像データと照度計測手段１４の照度データから最適な防眩レベル、すなわち車載用カメラ１２に入射する光の透過率を最適に設定する。この最適な防眩レベルは、例えば、映像データと照度のレベル（例えば、１から５まであり、５では照度が高い）とから最適な防眩レベル（例えば、１から５まであり、５では透過率が低い）がテーブルに纏められており、取得した映像データと計測した照度データから即座に制御部２０が決定するように構成しても良い。
【００３２】
また、制御部２０は、防眩手段１８により車載用カメラ１２に入射する光の透過率を下げられている状態（防眩制御）において、照度レベルが予め定めたレベルよりも低下して、過度に透過率が下げられていると判断した時に、透過率を上げるように防眩手段１８を制御する。
【００３３】
このような防眩制御を行った後は、通常のＡＤＡＳ制御を行う（ステップＳ２２）。一方、車載用カメラ１２が異常であると判断された場合は、フェールセーフ制御（ステップＳ２０）を行う。
【００３４】
本発明の車両のＡＤＡＳ制御システム及びＡＤＡＳ制御方法によれば、眩惑状態と判定された後に防眩手段１８により車載用カメラ１２に入射する光の照度を変えて、車載用カメラ１２の映像が変化するか否かにより車載用カメラ１２が正常かどうかを判断するため、車載用カメラ１２の正常・異常判断を素早く行うことができる。したがって、その後に行われる防眩制御及びＡＤＡＳ制御は、車載用カメラ１２が正常であることが保証されるので、ドライバーは不安を抱くことなく安全にＡＤＡＳ制御車両を走行させることができる。
【００３５】
なお、本発明は、上記の実施の形態に限定されるものではなく、本発明の趣旨を逸脱しない範囲で種々の変更が可能である。例えば、実施の形態では防眩手段は、印加する電圧により透過率が変化する調光素子を用いたが、調光フィルムや調光ガラスであっても良い。
【符号の説明】
【００３６】
１０  車両のＡＤＡＳ制御システム
１２  車載用カメラ
１４  照度計測手段
１８  防眩手段
２０  制御部
【図１】
2020161875.tif 000003
【図２】
2020161875.tif 000004
【図３】
2020161875.tif 000005
【図４】
2020161875.tif 000006
【図５】
2020161875.tif 000007